(57)【要約】【課題】簡易で安価な回路でありながら、出力電圧範囲に対して入力される電圧範囲が広い減衰回路を提供する。【解決手段】減衰回路１は、抵抗分圧回路２と動作開始電圧設定回路３とを有している。ことができる。抵抗分圧回路２は、第１抵抗素子Ｒ１と、第２抵抗素子Ｒ２とを有している。また、動作開始電圧設定回路３は、第３抵抗素子Ｒ３と、第４抵抗素子Ｒ４と、第１スイッチ素子Ｑ１と、第２スイッチ素子Ｑ２とを有している。動作開始電圧設定回路３は、減衰回路１の入力電圧が出力端子２０に接続される負荷部の有効電圧範囲の下限値に対応する電圧であるときに第１スイッチ素子Ｑ１がオンすることで、減衰回路１の減衰動作を開始させるように設定されている。抵抗分圧回路２は、出力電圧の最大値が負荷部の有効電圧範囲の上限値以下の任意の値になるようにして、入力電圧を分圧するように設定されている。【選択図】図１
2013223071.tif 000002
【特許請求の範囲】
【請求項１】
入力端子に入力される直流電圧を減衰して出力端子から出力する減衰回路であって、
前記直流電圧を分圧して前記出力端子に出力する出力電圧を得る抵抗分圧回路と、
前記直流電圧が減衰動作の開始電圧となったときに前記抵抗分圧回路に前記分圧を行わせる動作開始電圧設定回路とを備え、
前記動作開始電圧設定回路は、前記開始電圧が所定の値になるように設定されており、
前記抵抗分圧回路は、前記直流電圧が前記開始電圧から前記入力端子に入力される最大電圧までの間であるとき、前記分圧を行う、減衰回路。
【請求項２】
前記抵抗分圧回路は、
前記入力端子と前記出力端子との間に接続された第１抵抗素子と、
第１の端子が前記第１抵抗素子の前記出力端子側に接続され、第２の端子が前記動作開始電圧設定回路に接続された第２抵抗素子とを含む、請求項１に記載の減衰回路。
【請求項３】
前記動作開始電圧設定回路は、
前記入力端子とグランドとの間に直列接続された２つの抵抗素子と、
制御端子が前記二つの抵抗素子の接続点に接続され、出力端子が前記グランドに接続された第１スイッチ素子と、
制御端子が前記第１スイッチ素子の入力端子に接続され、入力端子が前記第２抵抗素子の第２の端子に接続され、出力端子が前記グランドに接続された第２スイッチ素子とを含む、請求項２に記載の減衰回路。
【請求項４】
前記動作開始電圧設定回路は、
前記第２抵抗素子の第２の端子とグランドとの間に直列接続された少なくとも１つのダイオード及び第５抵抗素子と、
制御端子が前記ダイオードと第５抵抗素子との接続点に接続され、出力端子が前記グランドに接続され、入力端子が前記第２抵抗素子の第２の端子に接続されたスイッチ素子とを含む、請求項２に記載の減衰回路。
【請求項５】
前記動作開始電圧設定回路は、
出力端子が前記グランドに接続され、入力端子が前記第２抵抗素子の第２の端子に接続されたスイッチ素子と、
前記第２抵抗素子の他端と前記スイッチ素子の制御端子との間に接続された第６抵抗素子とを含む、請求項２に記載の減衰回路。
【請求項６】
請求項１から５のいずれかに記載の減衰回路と、
前記減衰回路の前記出力端子から出力された電圧に基づいてＰＷＭ（パルス幅変調）信号を出力するＰＷＭ信号生成回路とを備え、
前記ＰＷＭ信号を用いてモータの駆動を制御する、モータの駆動制御装置。
【発明の詳細な説明】
【技術分野】
【０００１】
この発明は、減衰回路及びモータの駆動制御装置に関し、特に、入力端子に入力される電圧を減衰して出力端子から出力する減衰回路及びモータの駆動制御装置に関する。
【背景技術】
【０００２】
従来、入力端子に入力される電圧を減衰して出力端子から出力する減衰回路がある（例えば、特許文献１）。このような減衰回路は、例えば、モータを駆動する駆動制御装置や、スイッチング電源装置などに用いられている。
【０００３】
下記特許文献１には、半導体スイッチ素子のオン／オフに対応してオン／オフする増幅素子を用い、減衰モードと増幅モードとを切り替えることで信号のダイナミックレンジを大きくする減衰回路の構成が開示されている。
【先行技術文献】
【特許文献】
【０００４】
【特許文献１】特開２００３−２６４４５０号公報
【発明の概要】
【発明が解決しようとする課題】
【０００５】
ところで、上記のような減衰回路を駆動制御装置などに用いると、駆動制御装置に入力される電圧が、全範囲にわたり一律に分圧されることになる。そのため、駆動制御装置などの負荷部の動作に有効な、減衰回路の出力電圧範囲（以下、負荷部の有効電圧範囲と呼ぶことがある。）に対して、駆動制御装置に入力される電圧の有効範囲が狭くなる（すなわち、入力電圧の無効範囲が広くなる）。
【０００６】
例えば、入力電圧と、出力電圧のうち動作有効電圧（負荷部の有効電圧範囲の電圧）との電圧差が大きい場合には、減衰回路において、負荷部の有効電圧範囲に合致するように抵抗分割をする必要がある。しかしながら、抵抗分割の影響は入力電圧のすべての範囲に及び、入力電圧が全ての範囲で分圧されるため、低い入力電圧も分圧により低下する。そのため、負荷部の有効電圧範囲に対応する入力電圧の値は上昇し、結果として、入力電圧の有効利用範囲が狭くなってしまう。
【０００７】
この発明はそのような問題点を解決するためになされたものであり、簡易で安価な回路でありながら、出力電圧範囲に対して入力される電圧範囲が広い減衰回路及びモータの駆動制御装置を提供することを目的としている。
【課題を解決するための手段】
【０００８】
上記目的を達成するためこの発明のある局面に従うと、入力端子に入力される直流電圧を減衰して出力端子から出力する減衰回路は、直流電圧を分圧して出力端子に出力する出力電圧を得る抵抗分圧回路と、直流電圧が減衰動作の開始電圧となったときに抵抗分圧回路に分圧を行わせる動作開始電圧設定回路とを備え、動作開始電圧設定回路は、開始電圧が所定の値になるように設定されており、抵抗分圧回路は、直流電圧が開始電圧から入力端子に入力される最大電圧までの間であるとき、分圧を行う。
【０００９】
好ましくは、抵抗分圧回路は、入力端子と出力端子との間に接続された第１抵抗素子と、第１の端子が第１抵抗素子の出力端子側に接続され、第２の端子が動作開始電圧設定回路に接続された第２抵抗素子とを含む。
【００１０】
好ましくは、動作開始電圧設定回路は、入力端子とグランドとの間に直列接続された２つの抵抗素子と、制御端子が二つの抵抗素子の接続点に接続され、出力端子がグランドに接続された第１スイッチ素子と、制御端子が第１スイッチ素子の入力端子に接続され、入力端子が第２抵抗素子の第２の端子に接続され、出力端子がグランドに接続された第２スイッチ素子とを含む。
【００１１】
好ましくは、動作開始電圧設定回路は、第２抵抗素子の第２の端子とグランドとの間に直列接続された少なくとも１つのダイオード及び第５抵抗素子と、制御端子がダイオードと第５抵抗素子との接続点に接続され、出力端子がグランドに接続され、入力端子が第２抵抗素子の第２の端子に接続されたスイッチ素子とを含む。
【００１２】
好ましくは、動作開始電圧設定回路は、出力端子がグランドに接続され、入力端子が第２抵抗素子の第２の端子に接続されたスイッチ素子と、第２抵抗素子の他端とスイッチ素子の制御端子との間に接続された第６抵抗素子とを含む。
【００１３】
この発明の他の局面に従うと、モータの駆動制御装置は、上述のいずれかに記載の減衰回路と、減衰回路の出力端子から出力された電圧に基づいてＰＷＭ（パルス幅変調）信号を出力するＰＷＭ信号生成回路とを備え、ＰＷＭ信号を用いてモータの駆動を制御する。
【発明の効果】
【００１４】
これらの発明に従うと、抵抗分圧回路は、直流電圧が動作開始電圧設定回路で設定された開始電圧から入力端子に入力される最大電圧までの間であるとき、直流電圧の分圧を行う。したがって、簡易で安価な回路でありながら、出力電圧範囲に対して入力される電圧範囲が広い減衰回路及びモータの駆動制御装置を提供することができる。
【図面の簡単な説明】
【００１５】
【図１】本発明の減衰回路の基本構成を示すブロック図である。
【図２】第１の実施の形態における減衰回路の回路構成を示す図である。
【図３】減衰回路における入力電圧に対する出力電圧の変化の一例を示す図である。
【図４】減衰回路をモータの駆動制御装置やスイッチング電源装置でのＰＷＭ制御に用いられるＰＷＭ信号生成回路に適用した場合の具体例について説明する図である。
【図５】第２の実施の形態における減衰回路の回路構成を示す図である。
【図６】第３の実施の形態における減衰回路の回路構成を示す図である。
【発明を実施するための形態】
【００１６】
以下、本発明の実施の形態における減衰回路について説明する。
【００１７】
減衰回路は、例えば、モータの駆動制御装置において、ＰＷＭ（パルス幅変調）制御を行うＰＷＭ信号生成回路などに用いられる。減衰回路は、スイッチング電源装置に含まれるＰＷＭ信号生成回路に用いられるものであってもよい。
【００１８】
［第１の実施の形態］
【００１９】
図１は、本発明の減衰回路１の基本構成を示すブロック図である。
【００２０】
図１に示されるように、減衰回路１は、入力端子１０及び出力端子２０と、抵抗分圧回路２と、動作開始電圧設定回路３とを有している。減衰回路１は、入力端子１０に入力される直流電圧（入力電圧と呼ぶことがある。）Ｖｉｎを減衰して、出力端子２０から出力電圧Ｖｏｕｔを出力する回路である。
【００２１】
抵抗分圧回路２及び動作開始電圧設定回路３は、入力端子１０と出力端子２０との間に配置されている。動作開始電圧設定回路３は、抵抗分圧回路２に接続されている。動作開始電圧設定回路３は、グランド（ＧＮＤ；接地電位）に接続されている。
【００２２】
抵抗分圧回路２は、入力端子１０から入力される、開始電圧から最大電圧までの間の直流電圧Ｖｉｎを分圧する。動作開始電圧設定回路３は、減衰動作の開始電圧となる入力電圧Ｖｉｎを任意の値に設定可能となるように構成されている。
【００２３】
図２は、第１の実施の形態における減衰回路１の回路構成を示す図である。
【００２４】
図２に示されるように、抵抗分圧回路２は、第１抵抗素子Ｒ１と、第２抵抗素子Ｒ２とを有している。また、動作開始電圧設定回路３は、第３抵抗素子Ｒ３と、第４抵抗素子Ｒ４と、第１スイッチ素子Ｑ１と、第２スイッチ素子Ｑ２とを有している。第１スイッチ素子Ｑ１は、例えば、ＮＰＮ型バイポーラトランジスタである。第２スイッチ素子Ｑ２は、例えば、ＰＮＰ型バイポーラトランジスタである。
【００２５】
第１抵抗素子Ｒ１は、入力端子１０と出力端子２０との間に配置されている。第２抵抗素子Ｒ２の端子の一端（第１の端子）は、第１抵抗素子Ｒ１と出力端子２０との間に接続されている。第２抵抗素子Ｒ２の他端（第２の端子）は、コレクタ端子がグランドに接続されている第２スイッチ素子Ｑ２のエミッタ端子に接続されている。第１スイッチ素子Ｑ１のエミッタ端子（出力端子）はグランドに接続されており、第１スイッチ素子Ｑ１のコレクタ端子（入力端子）は、第２スイッチ素子Ｑ２のベース端子（制御端子）に接続されている。
【００２６】
本実施の形態において、第３抵抗素子Ｒ３の一端は入力端子１０に接続されており、第３抵抗素子Ｒ３の他端は第４抵抗素子Ｒ４の一端に接続されている。第４抵抗素子Ｒ４の他端は、グランドに接続されている。このように入力端子１０とグランドとの間に直列に接続された第３抵抗素子Ｒ３と第４抵抗素子Ｒ４との接続点には、第１スイッチ素子Ｑ１のベース端子（制御端子）が接続されている。
【００２７】
［減衰回路１の動作の説明］
【００２８】
図３は、減衰回路１における入力電圧Ｖｉｎに対する出力電圧Ｖｏｕｔの変化の一例を示す図である。
【００２９】
図３において、減衰回路１の入力端子１０に入力される直流電圧Ｖｉｎ（図３において横軸）の可変範囲を０（Ｖ）〜Ｖｉ５（Ｖ）とする。また、出力端子２０から出力される出力電圧Ｖｏｕｔの範囲は、０（Ｖ）〜Ｖｏ５（Ｖ）で示されている。
【００３０】
第１の実施の形態において、減衰回路１の出力端子２０は、負荷部（図示せず）に接続されて用いられる。負荷部は、例えば、出力電圧ＶｏｕｔがＶｏ１（Ｖ）〜Ｖｏ３（Ｖ）である範囲で動作する。言い換えれば、負荷部の有効電圧範囲は、Ｖｏ１（Ｖ）〜Ｖｏ３（Ｖ）となる。モータの駆動制御装置を具体例として説明すると、例えば、負荷部の有効電圧範囲は、モータの速度制御に係る電圧範囲である１（Ｖ）〜３（Ｖ）となり、入力電圧Ｖｉｎの可変範囲は０（Ｖ）〜５（Ｖ）となる。
【００３１】
例えば入力電圧を可変抵抗で分圧して出力電圧とするような従来の減衰回路では、減衰回路が動作をしない入力電圧Ｖｉｎに対する出力電圧Ｖｏｕｔの範囲（以下、これを不感帯ということがある。）は存在しない。従来の減衰回路では、入力電圧Ｖｉｎが０（Ｖ）から負荷部の有効電圧範囲内の上限値以下まで、入力電圧Ｖｉｎの分圧が全範囲にわたり一律に行われる。したがって、入力電圧Ｖｉｎの全範囲にわたり、出力電圧Ｖｏｕｔは直線的に上昇する。その結果、図３においてラインＡ（従来例である）で示されるように、負荷部の有効電圧範囲に対する入力電圧Ｖｉｎの有効範囲は、例えば、Ｖｉ２〜Ｖｉ５（Ｖ）となる。すなわち、０（Ｖ）〜Ｖｉ２（Ｖ）の範囲は、負荷部の有効電圧範囲に入らない無効範囲となる。
【００３２】
これに対して、第１の実施の形態では、減衰回路１の減衰動作の開始電圧となる入力電圧Ｖｉｎを任意の値に設定できる。したがって、図３における開始電圧に対応する動作開始点Ｐ１は、ラインＰ上の任意のポイントに設定できる。ここで、動作開始点Ｐ１は、減衰動作の開始電圧となる入力電圧Ｖｉｎの値に対する、出力電圧Ｖｏｕｔの値を示すポイントである。
【００３３】
また、減衰回路１では、出力電圧Ｖｏｕｔの最大値が負荷部の有効電圧範囲内の上限値Ｖｏ３（Ｖ）以下の任意の値になるように、入力電圧Ｖｉｎを開始電圧から最大電圧までの間において分圧できる。一例として、図３においてラインＢで示されるように分圧される場合、負荷部の有効電圧範囲に対する入力電圧Ｖｉｎの有効範囲は、Ｖｉ１（Ｖ）〜Ｖｉ５（Ｖ）となる。すなわち、上記の従来の例（ラインＡ）よりも、負荷部の有効電圧範囲に対する入力電圧Ｖｉｎの有効電圧範囲が広がる。換言すると、図３において不感帯域Ｎで示される無効範囲（入力電圧Ｖｉｎが０（Ｖ）からＶｉ１（Ｖ）までの範囲）が従来よりも狭くなる。
【００３４】
［減衰回路１の各回路の具体的な動作］
【００３５】
動作開始電圧設定回路３は、入力電圧Ｖｉｎが負荷部の有効電圧範囲の下限値Ｖｏ１（Ｖ）に対応する電圧Ｖｉ１（Ｖ）であるときに、減衰動作が開始されるように設定されている。すなわち、本実施の形態において、動作開始点Ｐ１は、第１スイッチ素子Ｑ１のベースエミッタ間電圧ＶＢＥと抵抗素子Ｒ３，Ｒ４の分圧比とにより設定される。例えば、ＶＢＥ＝０．６Ｖ，Ｒ３＝１ｋΩ，Ｒ４＝１ｋΩである場合、動作開始点Ｐ１に対応する入力電圧Ｖｉｎは、Ｖｉ１＝０．６×２＝１．２（Ｖ）となる。
【００３６】
入力電圧ＶｉｎがＶｉ１（Ｖ）となると、第１スイッチ素子Ｑ１がオンし、第２スイッチ素子Ｑ２のベース電流が第１スイッチ素子Ｑ１に流れる。これにより、電流が、第２抵抗素子Ｒ２を介して第２スイッチ素子Ｑ２のコレクタ端子に流れる。
【００３７】
抵抗分圧回路２は、入力電圧Ｖｉｎが、減衰動作の開始電圧であるＶｉ１（Ｖ）から、入力電圧Ｖｉｎの最大値であるＶｉ５（Ｖ）までの間であるとき、入力電圧Ｖｉｎの分圧を行う。具体的には、入力電圧ＶｉｎがＶｉ１（Ｖ）〜Ｖｉ５（Ｖ）までの間、入力電圧Ｖｉｎは、Ｖｉｎ×（Ｒ２／（Ｒ１＋Ｒ２）＋ＶＢＥ（第１スイッチ素子Ｑ１のベースエミッタ間電圧）で決まる値で分圧される。抵抗分圧回路２は、入力電圧Ｖｉｎの最大値と負荷部の有効電圧範囲の上限値とを鑑みて、各素子が設定されている。これにより、出力電圧Ｖｏｕｔが、入力電圧Ｖｉｎの上昇に伴い、入力電圧Ｖｉｎが最大値Ｖｉ５であるときの出力電圧Ｖｏｕｔが負荷部の有効電圧範囲の上限値Ｖｏ３（Ｖ）を超えないような範囲で、上昇する（例えば、図３においてラインＢで示されている。）。なお、図３においてＲで示されている範囲は、分圧比の調整範囲を示す。すなわち、分圧比は、入力電圧Ｖｉｎの上昇に対する出力電圧Ｖｏｕｔの上昇の度合い（上昇率）が負荷部の有効電圧範囲の上限値Ｖｏ３（Ｖ）を超えない範囲となるように設定される。
【００３８】
結果として、減衰回路１において、入力電圧Ｖｉｎが０（Ｖ）からＶｉ１（Ｖ）までである範囲は不感帯域となる。この範囲において、減衰回路１は、入力電圧を出力電圧Ｖｏｕｔとしてそのまま出力する。他方、入力電圧ＶｉｎがＶｉ（Ｖ）からＶｉ５（Ｖ）までである範囲においては、減衰回路１は、減衰動作を行う。
【００３９】
このように、第１の実施の形態において、減衰回路１では、動作開始電圧設定回路３を用いて、減衰動作の開始電圧となる入力電圧Ｖｉｎを任意の値に設定することができる。また、抵抗分圧回路２を用いて、出力電圧Ｖｏｕｔの最大値が負荷部の有効電圧範囲の上限値以下の任意の値になるようにして、入力電圧Ｖｉｎを分圧できる。したがって、減衰回路１は、開始電圧から最大電圧までの間の直流電圧Ｖｉｎを分圧し、負荷部の有効電圧範囲内の出力電圧Ｖｏｕｔを出力できる。換言すると、減衰回路１は、入力電圧Ｖｉｎの有効範囲が広いものである。
【００４０】
また、第１の実施の形態では、第２スイッチ素子Ｑ２を用いることにより、動作開始点Ｐ１の前後の出力電圧の変位を、直線的な形状にすることができる。
【００４１】
［減衰回路１の適用例の説明］
【００４２】
図４は、減衰回路１をモータの駆動制御装置やスイッチング電源装置でのＰＷＭ制御に用いられるＰＷＭ信号生成回路に適用した場合の具体例について説明する図である。
【００４３】
減衰回路１は、モータの駆動制御装置やスイッチング電源装置において、例えばＰＷＭ信号生成回路（図示せず）のコンパレータＣｐ１に接続して用いられる。図４には、コンパレータＣｐ１が示されている。コンパレータＣｐ１の非反転入力端子（＋）５０には、減衰回路１の出力電圧Ｖｏｕｔが入力される。コンパレータＣｐ１の反転入力端子（−）６０に、発振回路（図示せず）からの三角波信号が入力される。これにより、ＰＷＭ信号を生成でき、ＰＷＭ信号は、コンパレータＣｐ１の出力端子７０から出力される（Ｓｏｕｔ）。モータの駆動制御装置においては、このようにして減衰回路１の出力端子２０から出力された電圧に基づいてＰＷＭ信号生成回路のコンパレータＣｐ１で生成されたＰＷＭ信号を用いて、モータ（図示せず）の駆動制御を行う。
【００４４】
上述したように、減衰回路１の出力電圧Ｖｏｕｔの範囲は、抵抗分圧回路２の調整を行うことで任意に調整できる。また、出力電圧Ｖｏｕｔは、入力電圧Ｖｉｎに対して、可変範囲での直線性も優れている。したがって、減衰回路１は、特にＰＷＭ信号を生成する回路において有効な回路となる。
【００４５】
［第２の実施の形態］
【００４６】
第２の実施の形態における減衰回路の基本的な構成は、第１の実施の形態におけるそれと同じであるため、ここでの説明を繰り返さない。第２の実施の形態においては、動作開始電圧設定回路の具体的な構成が、第１の実施の形態のそれとは異なる。
【００４７】
図５は、第２の実施の形態における減衰回路１０１の回路構成を示す図である。
【００４８】
図５に示すように、減衰回路１０１には、抵抗分圧回路２と、動作開始電圧設定回路１０３とが設けられている。動作開始電圧設定回路１０３は、ダイオードＤ１と、第５抵抗素子Ｒ５と、第３スイッチ素子Ｑ３とを有している。第３スイッチ素子Ｑ３は、例えば、ＮＰＮバイポーラトランジスタである。
【００４９】
第２の実施の形態において、動作開始電圧設定回路１０３は、直接には入力端子１０に接続されていない。すなわち、第２抵抗素子Ｒ２の２つの端子のうち第１抵抗素子Ｒ１に接続されている端子とは異なる端子は、第３スイッチ素子Ｑ３のコレクタ端子（入力端子）と、ダイオードＤ１のアノード端子とに接続されている。ダイオードＤ１のカソード端子は、第３スイッチ素子Ｑ３のベース端子（制御端子）と、第５抵抗素子Ｒ５の一方の端子とに接続されている。第５抵抗素子Ｒ５の他方の端子と、第３スイッチ素子Ｑ３のエミッタ端子（出力端子）とは、それぞれ、グランドに接続されている。すなわち、ダイオードＤ１及び第５抵抗素子Ｒ５は、第２抵抗素子Ｒ２の第２の端子とグランドとの間に直列に接続されている。
【００５０】
減衰回路１０１において、動作開始点における入力電圧Ｖｉｎの値は、第３スイッチ素子Ｑ３のベースエミッタ間電圧ＶＢＥとダイオードＤ１の順電圧ＶＦの総和となる。例えば、ＶＢＥ＝０．６（Ｖ）、ＶＦ＝０．６（Ｖ）であれば、動作開始点における入力電圧Ｖｉｎの値は、Ｖｉｎ＝０．６＋０．６＝１．２（Ｖ）となる。すなわち、動作開始電圧設定回路１０３に用いるダイオードＤ１と第３スイッチ素子Ｑ３を調整することで、動作開始点における入力電圧Ｖｉｎの値を適宜設定できる。
【００５１】
第２の実施形態において、ダイオードＤ１部分に配置されるダイオードは、１つに限られない。すなわち、ダイオードＤ１に代えて、複数のダイオードを直列に接続してもよい。このようにダイオードの数を変更することで、動作開始点を変更することができる。
【００５２】
第５抵抗素子Ｒ５は、漏れ電流を抑制し、回路動作を安定化させる役割をする。
【００５３】
このように、第２の実施の形態でも、動作開始電圧設定回路１０３により、分圧が開始される入力電圧Ｖｉｎの値を調整でき、第１の実施の形態と同様な効果を得ることができる。減衰回路１０１は、第１の実施の形態に係る減衰回路１よりも少ない部品点数で構成できる。したがって、減衰回路１０１及びそれを用いたモータの駆動制御装置やスイッチング電源装置の製造コストをさらに低減できる。
【００５４】
［第３の実施の形態］
【００５５】
第３の実施の形態における減衰回路の基本的な構成は、第１の実施の形態におけるそれと同じであるためここでの説明を繰り返さない。第３の実施の形態においては、動作開始電圧設定回路の具体的な構成が、第１の実施の形態のそれとは異なる。
【００５６】
図６は、第３の実施の形態における減衰回路２０１の回路構成を示す図である。
【００５７】
図６に示すように、減衰回路２０１には、抵抗分圧回路２と、動作開始電圧設定回路２０３とが設けられている。動作開始電圧設定回路２０３は、第６抵抗素子Ｒ６と、第４スイッチ素子Ｑ４とを有している。第４スイッチ素子Ｑ４は、例えば、ＮＰＮバイポーラトランジスタである。
【００５８】
第３の実施の形態において、動作開始電圧設定回路２０３は、直接には入力端子１０に接続されていない。すなわち、第２抵抗素子Ｒ２の２つの端子のうち第１抵抗素子Ｒ１に接続されている端子とは異なる端子は、第４スイッチ素子Ｑ４のコレクタ端子（入力端子）と、第６抵抗素子Ｒ６の一方の端子とに接続されている。第６抵抗素子Ｒ６の他方の端子は、第４スイッチ素子Ｑ４のベース端子（制御端子）に接続されている。第４スイッチ素子Ｑ４のエミッタ端子（出力端子）は、グランドに接続されている。
【００５９】
減衰回路２０１において、動作開始点における入力電圧Ｖｉｎの値は、第４スイッチ素子Ｑ４のベースエミッタ間電圧ＶＢＥとなる。例えば、ＶＢＥ＝０．６（Ｖ）であれば、動作開始点における入力電圧Ｖｉｎの値は、Ｖｉｎ＝０．６（Ｖ）となる。すなわち、動作開始電圧設定回路２０３に用いる第４スイッチ素子Ｑ４を適宜設定することで、動作開始点における入力電圧Ｖｉｎの値を適宜設定できる。
【００６０】
第６抵抗素子Ｒ６は、第４スイッチ素子Ｑ４のベース端子のバイアス用抵抗としての役割をする。
【００６１】
このように、第３の実施の形態では、動作開始電圧設定回路２０３により、分圧が開始される入力電圧Ｖｉｎの値を調整でき、第１の実施の形態と同様な効果を得ることができる。減衰回路２０１は、第１の実施の形態に係る減衰回路１や、第２の実施の形態に係る減衰回路１０１よりも少ない部品点数で構成できる。したがって、減衰回路２０１及びそれを用いたモータの駆動制御装置やスイッチング電源装置の製造コストをさらに低減できる。
【００６２】
［その他］
【００６３】
減衰動作の開始電圧である直流電圧は、必ずしも負荷部の有効電圧範囲の下限値に対応する値に限定されない。下限値の近辺（下限値前後）の値に開始電圧を設定することにより、略同様な効果が得られる。
【００６４】
本発明の減衰回路を用いて電圧が供給される負荷部の種類としては、特に限定されない。減衰回路は、例えば、モータの駆動制御装置や、電子負荷のスイッチング電源装置など、広範な種類の装置に適用できる。
【００６５】
第１スイッチ素子Ｑ１〜第４スイッチ素子Ｑ４は、バイポーラトランジスタに限定されない。これらは、例えば、ＦＥＴ（電界効果トランジスタ）や、ＩＧＢＴ（絶縁ゲートバイポーラトランジスタ）などであってもよい。
【００６６】
上記実施の形態は、すべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【符号の説明】
【００６７】
１，１０１，２０１  減衰回路
２  抵抗分圧回路
３，１０３，２０３  動作開始電圧設定回路
１０  入力端子
２０  出力端子
Ｄ１  ダイオード
Ｑ１〜Ｑ４  スイッチ素子
Ｒ１〜Ｒ６  抵抗素子
Ｖｉｎ  入力電圧（直流電圧）
Ｖｏｕｔ  出力電圧
ＧＮＤ  グランド
【図１】
2013223071.tif 000003
【図２】
2013223071.tif 000004
【図３】
2013223071.tif 000005
【図４】
2013223071.tif 000006
【図５】
2013223071.tif 000007
【図６】
2013223071.tif 000008